(57)【要約】【課題】手口の構造において、下ボロの縫目滑脱を減少させる手口の構造物を提供すること。【解決手段】手口を構成するために切込んだ袖生地のスリット終端に左右で異なる切込み幅の略Ｙ字状の切込みを入れ、そのうち切込み幅の大きいほうに下ボロを縫いつける。【選択図】図１
2014122437.tif 000002
【特許請求の範囲】
【請求項１】
手口を構成するために切込んだ袖生地のスリットの終端からさらに斜め方向の略Ｙ字状に切込んだスリット終端部分において、当該略略Ｙ字状の切込み幅が左右で異なることを特徴とする手口の構造物。
【請求項２】
略Ｙ字状の切込み幅が大きいほうに下ボロが構成されていることを特徴とする請求項１に記載の手口の構造物。
【請求項３】
請求項１または２に記載のシャツの手口の構造物。
【発明の詳細な説明】
【技術分野】
【０００１】
本発明は、シャツ等における手口の構造物に関するものである。
【背景技術】
【０００２】
従来、シャツの袖生地の手口を構成する部分にスリットを入れる方法が知られている。これは、一般的に腕をまくりやすくするためにある。
【０００３】
この手口を縫製する方法として、手口のスリット部分に芯地を貼り、剣ボロと下ボロ用の生地を各々のスリット部分に縫い合わせ、その後に縫い代部分を包み込むように剣ボロと下ボロを形成後に再度縫製する方法があり、この縫製により縫目滑脱を防止する効果がある（特許文献１参照）。
【０００４】
一方、手口に形成されるスリットに、剣ボロ、下ボロを縫着する場合、縫製しやすくするために、スリットの終端に傾斜させた僅かな切込みや、終端を略Ｙ字状にカットを入れる方法が知られている。この縫製により作業の能率を上げるのが一般的にある（特許文献２参照）。
【先行技術文献】
【特許文献】
【０００５】
【特許文献１】特許第２８８７５８６号公報
【特許文献２】特開昭５４−３１３３６号公報
【発明の概要】
【発明が解決しようとする課題】
【０００６】
しかしながら、特許文献１の芯地を接着し、縫い代を包み込むように縫製する方法は、縫目滑脱を防ぐことができるが、芯地接着や、縫製する工程が増え作業性、生産性に問題があった。
【０００７】
一方、特許文献２では、スリットの終端に傾斜させた僅かな切り込みや、略Ｙ字状に切込みを入れて縫製する方法は、縫い代が少なくなりがちで、下ボロの縫目滑脱が発生しやすくなるという問題を有していた。また、縫目滑脱防止のため縫い代を確保しようとして略Ｙ字状の切込みを大きくすると、下ボロよりも切込みが大きくなり、剣ボロ側の切り端３ａ（図４参照）が隠れず切り端３ａが目立ち品位を損なうという問題もあった。
【０００８】
本発明の課題は、上記従来技術の欠点を解消しようとするものであり、シャツ等の手口の構造物において、下ボロの縫目滑脱を減少させ、剣ボロ側の切り端３ａが出難く目立ちにくくするとともに、作業性についても従来の縫製方法と変わらないシャツ等の手口の構造物を提供することにある。
【課題を解決するための手段】
【０００９】
前記課題を達成するため本発明のシャツ等の手口の構造物は、下記の構成からなる。
【００１０】
すなわち、手口を構成するために切り込んだ袖生地のスリットの終端からさらに斜め方向に略Ｙ字状の切り込み幅が左右で異なることを特徴とするものである。
【発明の効果】
【００１１】
従来の略Ｙ字状カットを示す図３のような手口だけでは、縫い代が少なくなりがちで、下ボロの縫目滑脱が問題であったが、本発明においては、手口を構成するために切り込んだ袖生地のスリットの終端からさらに斜め方向に略Ｙ字状の切り込み幅が左右で異なる構造にし、切り込み幅が大きいほうに下ボロを縫い付けることにより、縫目滑脱を減少させることができる。また、縫い代を大きくしようとし切込みを大きくすると、切り端３ａが隠れず目立つという問題も、切込み幅が左右で異なる形状にすることにより切り端が出難く目立ちにくくすることができる。また、作業性についても従来の縫製方法と変わらないため変化はない。
【図面の簡単な説明】
【００１２】
【図１】本発明の一般的なシャツの袖部分を示した概略図である。
【図２】本発明のスリット終端における左右で異なる幅の略Ｙ字状の切込みを入れた１つの状態を示した概略図である。
【図３】従来技術のスリット終端における左右で同じ幅の略Ｙ字状の切込みを入れた状態を示した概略図である。
【図４】従来技術のスリット終端における左右で同じ幅の略Ｙ字状の切込みを入れた幅方向の切込みを大きくした概略図である。
【図５】スリット終端における略Ｔ字状の切込みを入れた概略図である。
【図６】本発明のスリット終端の略Ｙ字状の切込み部分を折り返したときの生地状態を示した概略図である。
【図７】本発明のスリット終端の略Ｙ字状の切込み部分の高さが低い場合の切込み部分を折り返したときの生地状態を示した概略図である。
【図８】従来技術の手口の剣ボロ、下ボロ縫着後の位置関係を示した側面図である。
【発明を実施するための形態】
【００１３】
本発明の実施の形態について図面とともに説明する。
【００１４】
図１は本発明の袖口に使用される生地において、シャツの手口部分に袖口から肩方向に向かうスリットを設け、該スリットの終端部分において該略Ｙ字状の切り込みを入れたものであり、本発明においては、この略Ｙ字状の切り込み幅が左右で異なるようにしたものであり、図１の５と６は切込み幅が異なることを示す。図８は剣ボロ８と下ボロ１の縫い付け状態を表した図である。
【００１５】
図８において、シャツの手口部分に入れられたスリットの切り込みにより下ボロ側袖生地１１と剣ボロ側袖生地１２にスリットされ、一方の下ボロ側袖生地１１に下ボロ１が下ボロ縫目２にて縫い付けられ、他方の剣ボロ側袖生地１２に剣ボロ８が剣ボロ縫目９にて縫い付けられている。なお、１０はボタンホールである。
【００１６】
一般的なシャツの下ボロ縫製時には、生産性の観点から袖口に使用される生地に設けられたスリットの切込みの終端に図３のような略Ｙ字状に切込みを入れ、その切込み部分に下ボロ１を縫うようにしたものである。
【００１７】
本発明の手口構造物は、手口を構成するために切り込んだ袖生地のスリットの終端からさらに斜め方向の略Ｙ字状に切り込んだスリット終端部分において、当該略Ｙ字状の切り込み幅が左右で異なることを特徴とする手口の構造にすることで、下ボロの縫目滑脱を減少させることができる。この時、左右の切込み幅が異なっておれば、切込みの形状は限定しないが、好ましくは切込み形状は左右とも直線で構成されていると良い。さらに好ましくは切込み形状は略Ｙ字状が良い。
【００１８】
この時の略Ｙ字状切込み幅は、広いほうの大きさ５が８ｍｍ以上であり、切込み幅が小さい方６は５ｍｍ以下であるのが良い。好ましくは、略Ｙ字状切込み幅が広いほうの大きさ５が１０ｍｍから８ｍｍであり、切込み幅が小さい方６が３ｍｍから５ｍｍであるのが良い。さらに好ましくは、略Ｙ字状切込み幅が広いほうの大きさ５が８ｍｍであり、切込み幅が小さいほう６は５ｍｍで切込みをいれることにより下ボロの縫目滑脱を減少させることができる。
【００１９】
この切込み幅の広い方に、図２のように下ボロ生地１を４つ折りにして下ボロを形成し、切込み最深部分まで挿入し、折り目に沿って縫製２することで縫い代を十分に確保することができ、結果として下ボロの縫目滑脱を減少させることができる。
【００２０】
また、一般的なシャツにおいてスリット終端が略Ｙ字状カットされるのは、略Ｙ字カットした部分の生地の三角形となる生地端の部分図５の処理方法に原因がある。三角形３ｃとなった切り端を折り返すことで縫い代を作り、生地のほつれ等の防止を行っている。そこで、略Ｔ字状にカットされた図５の例では、折り返しなどによる縫い代確保ができないため一般に使用されていない。また、略Ｙ字状であっても、図７のような、三角形の切り端部分３ｄの高さが低い状態であると、三角形部分の縫い代が少なくなり、ほつれやすくなりがちである。
【００２１】
この時の略Ｙ字状にカットした部分の三角形３ｃとなった生地の高さは５ｍｍ以上あるのが良い。好ましくは、３角形３ｃとなった生地の高さが５ｍｍから１２ｍｍあるのが良い。さらに好ましくは、６ｍｍから１０ｍｍにすることにより略Ｙ字状にカットした部分の３角形の折り返しの縫い代部分を確保できる。
【００２２】
この、略Ｙ字状カットを鋭角にし、略Ｙ字状にカットした部分の３角形３ｃとなった生地の高さを高くしていくことは可能であるが、略Ｙ字状にカットした部分が長くなり、下ボロの縫い代が少ない部分も多くなるため好ましくはない。
【００２３】
本発明の袖口に使用される生地は、ポリエステル１００％、ポリエステルと綿の混紡糸、綿１００％などの一般的な生地素材に適用できる。また、織物の組織についても、平織りや斜紋、綾織などに適用できる。
【実施例】
【００２４】
（実施例１）
以下、本発明について実施例を挙げて具体的に説明する。
【００２５】
ワイシャツ用の綿６０％、ポリエステル４０％の生地を使用し、袖口に下ボロ縫着のための１３．５ｃｍの直線の切込みを入れ、その終端を図２のように、タテ９ｍｍ、ヨコ８ｍｍの方向へ斜めの切込みと、タテ９ｍｍ、ヨコ５ｍｍの方向へ斜めの切込みを入れる。幅４．０ｃｍ、長さ１６ｃｍの下ボロ生地を図８のように下ボロの幅を１．３ｃｍにて４つ折りにした。下ボロ生地を、袖生地の切込みのヨコ方向に広いほうに取付け、切込み最深部まで差し込み、折り目に沿って縫製する。このとき、下ボロの縫い代は８ｍｍとなった。下ボロからの切り込みはみ出しは無かった。
【００２６】
縫目滑脱の評価方法として、下ボロ縫い付け後、袖生地と下ボロを左右に手で引っ張り、縫製部分の生地が滑脱した長さを計測した。切込み部の品位の評価方法は、下ボロ縫着後、略Ｙ字の切り端が下ボロ縫着部分からはみ出し状態の有無で判断し、はみ出が無ければ○、はみ出していれば×で判定した。略Ｙ字折り返し部の縫製し易さの評価方法は、略Ｙ字の折り返す部分の三角形を形成するときの形成し易いかで判断し、形成が易しければ○、難しければ×で判定した。
（実施例２）
使用生地は実施例１と同じ生地を使用し、袖口に下ボロ縫着のための１３．５ｃｍの直線の切込みを入れた。その終端を図２のように、タテ８ｍｍ、ヨコ９ｍｍの方向へ斜めの切込みと、タテ８ｍｍ、ヨコ４ｍｍの方向へ斜め切込みを入れる。幅４．０ｃｍ、長さ１６ｃｍの下ボロ生地を図８のように下ボロの幅を１．３ｃｍにて４つ折りにした。下ボロ生地を、袖生地の切込みのヨコ方向に広いほうに取付け、切込み最深部まで差し込み、折り目にそって縫製する。このとき、下ボロの縫い代は９ｍｍとなった。下ボロからの切り込み部のはみ出しは無かった。評価は、実施例１と同じ方法により評価した。
（比較例１）
使用生地は実施例１と同じ生地を使用し、袖口に下ボロ縫着のための１３．５ｃｍの直線の切込みを入れた。その終端を、左右対称にタテ１０ｍｍ、ヨコ６．５ｍｍの方向へ斜めの切込みを入れる。幅４．０ｃｍ、長さ１６ｃｍの下ボロ生地を図８のように下ボロの幅を１．３ｃｍにて４つ折りにした。下ボロ生地を、袖生地の左側に取付け、切込み最深部まで差し込み折り目にそって縫製する。このとき、下ボロの縫い代は６．５ｍｍとなった。下ボロからの切り込み部のはみ出しは無かった。評価は、実施例１と同じ方法により評価した。
（比較例２）
使用生地は実施例１と同じ生地を使用し袖口に下ボロ縫着のための１３．５ｃｍの直線の切込みを入れた。その終端を、左右対称にタテ８ｍｍ、ヨコ８ｍｍの方向へ斜めの切込みを入れる。幅４．０ｃｍ、長さ１６ｃｍの下ボロ生地を図８のように下ボロの幅を１．３ｃｍにて４つ折りにした。下ボロ生地を、袖生地の切込みのヨコ方向に広いほうに取付け、切込み最深部まで差し込み折り目にそって縫製する。このとき、下ボロの縫い代は８ｍｍとなった。この時の下ボロからはみ出す切込み部分３ａは３ｍｍとなった。評価は、実施例１と同じ方法により評価した。
（比較例３）
使用生地は実施例１と同じ生地を使用し袖口に下ボロ縫着のための１３．５ｃｍの直線の切込みを入れた。その終端を、左右対称にタテ４．５ｍｍ、ヨコ６．５ｍｍの方向へ斜めの切込みを入れる。幅４．０ｃｍ、長さ１６ｃｍの下ボロ生地を図８のように下ボロの幅を１．３ｃｍにて４つ折りにした。下ボロ生地を、袖生地の左側に取付け、切込み最深部まで差し込み、折り目にそって縫製する。このとき、下ボロの縫い代は６．５ｍｍとなった。下ボロからの切り込みはみ出しは無かった。評価は、実施例１と同じ方法により評価した。
滑脱のし難さ
○：縫目滑脱１ｍｍ以内
△：縫目滑脱１〜３ｍｍ
×：縫目滑脱３ｍｍ以上
略Ｙ字切込み部の品位
○：はみ出し無し
×：はみ出し有り
略Ｙ字折り返し部縫製し易さ
○：易しい
×：難しい
表１から明らかなように、実施例１，２の下ボロの縫い代は８ｍｍと９ｍｍになり、左右に引っ張った時の滑脱した長さも１ｍｍ以内となり縫目滑脱減少に効果があるといえる。一方、比較例１は１ｍｍ〜３ｍｍ縫目が滑脱したため滑脱減少には不十分であると考える。また、比較例２は、下ボロの縫い代８ｍｍと十分に確保されており、また、左右に引っ張った時の滑脱した長さも１ｍｍ以内と十分に縫目滑脱減少に効果があるが、切込みの剣ボロ側に３ｍｍ切り端３ａがはみ出しているため品位を損なった。あと、比較例３の左右に引っ張った時の滑脱した長さは１ｍｍ〜３ｍｍ縫目が滑脱したため滑脱減少には不十分であると考える。また、略Ｙ字状にカットされた部分の折り返しの三角形に形成された部分の縫い代が５ｍｍ以下で折り返しの縫い代が十分に確保できてない。
【００２７】
このことから、略Ｙ字状切込み幅は、広いほうの大きさ５が８ｍｍ以上であり、切込み幅が小さい方６は５ｍｍ以下であるのが良い。好ましくは、略Ｙ字状切込み幅が広いほうの大きさ５が１０ｍｍから８ｍｍであり、切込み幅が小さい方６が３ｍｍから５ｍｍであるのが良い。さらに好ましくは、略Ｙ字状切込み幅が広いほうの大きさ５が８ｍｍであり、切込み幅が小さいほう６は５ｍｍで切込みをいれることにより下ボロの縫目滑脱を減少させることが可能である。
【００２８】
【表１】
2014122437.tif 000003
【符号の説明】
【００２９】
１    下ボロ
２    下ボロ縫目
３    略Ｙ字状カット
３ａ  略Ｙ字状のはみ出し部分
３ｂ  略Ｔ字状カット
３ｃ  略Ｙ字カット三角形折り返し部
３ｄ  略Ｙ字カット三角形折り返し部（縫い代不足）
４    袖口スリット
５    略Ｙ字状縫い代大（下ボロ側）
６    略Ｙ字状縫い代小
７    左右対称縫い代幅
８    剣ボロ
９    剣ボロ縫目
１０  ボタンホール
１１  袖生地（下ボロ側）
１２  袖生地（剣ボロ側）
【図１】
2014122437.tif 000004
【図２】
2014122437.tif 000005
【図３】
2014122437.tif 000006
【図４】
2014122437.tif 000007
【図５】
2014122437.tif 000008
【図６】
2014122437.tif 000009
【図７】
2014122437.tif 000010
【図８】
2014122437.tif 000011